(57)【要約】【課題】番組の放送スケジュールに変更が生じた場合であっても、変更に応じた放送を柔軟に行う。【解決手段】番組を放送し、放送する番組の放送スケジュールを示した電子番組案内およびファイル転送技術を用いたデータ配信放送の放送スケジュールを示した電子コンテンツ案内を送信する放送局１００が、放送する番組の放送スケジュールに変更が生じた場合、変更に応じて電子番組案内または電子コンテンツ案内を変更し、変更に応じた放送を行い、変更した電子番組案内または電子コンテンツ案内を、電子番組案内および電子コンテンツ案内を受信して表示する端末２００へ送信する。【選択図】図１
2011030045.tif 000002
【特許請求の範囲】
【請求項１】
番組を放送し、放送する番組の放送スケジュールを示した電子番組案内およびファイル転送技術を用いたデータ配信放送の放送スケジュールを示した電子コンテンツ案内を送信する放送局と、前記放送、前記電子番組案内および前記電子コンテンツ案内を受信して表示する端末とから構成された放送システムにおいて、
前記放送局は、放送する番組の放送スケジュールに変更が生じた場合、該変更に応じて前記電子番組案内または前記電子コンテンツ案内を変更し、該変更した電子番組案内または電子コンテンツ案内を前記端末へ送信し、該変更に応じた放送を行うことを特徴とする放送システム。
【請求項２】
請求項１に記載の放送システムにおいて、
前記放送局は、前記電子番組案内に示された放送予定の番組の代わりに他の番組の放送を指示する代替指示信号の入力を外部から受け付けた場合、前記放送に使用可能な空きチャネルを検索し、該空きチャネルが検索できた場合、該空きチャネルを用いて前記放送予定の番組を放送する旨を示すように前記電子番組案内を変更し、該空きチャネルを用いて前記放送予定の番組を放送し、
前記端末は、前記放送局から送信されてきた電子番組案内に基づいて、前記放送予定の番組のチャネルに変更があると判断した場合、前記放送予定の番組のチャネルを、該電子番組案内に示されたチャネルへ切り替えることを特徴とする放送システム。
【請求項３】
請求項２に記載の放送システムにおいて、
前記放送局は、前記空きチャネルが検索できなかった場合、前記放送予定の番組を録画してコンテンツを作成し、前記電子コンテンツ案内を前記作成したコンテンツを含めるように変更して前記端末へ送信し、前記端末から前記作成したコンテンツの送信を要求された場合、該コンテンツを該端末へ送信し、
前記端末は、前記放送局から送信されてきた電子コンテンツ案内を表示し、該電子コンテンツ案内に示されたコンテンツの送信要求の入力を外部から受け付けた場合、前記コンテンツの送信を前記放送局へ要求し、該要求したコンテンツが前記放送局から送信されてきた場合、該コンテンツを再生することを特徴とする放送システム。
【請求項４】
請求項１に記載の放送システムにおいて、
前記放送局は、放送中の番組に放送の延長を指示する延長指示信号の入力を外部から受け付けた場合、前記放送に使用可能な空きチャネルを検索し、該空きチャネルが検索できた場合、現在の電子番組案内で示される該番組の終了時刻から該空きチャネルを用いて該番組の延長部分を放送する旨を示すように前記電子番組案内を変更し、該空きチャネルを用いて前記終了時刻から前記番組の延長部分を放送し、
前記端末は、前記放送局から送信されてきた電子番組案内に基づいて、現在表示している放送の番組のチャネルに変更があると判断した場合、現在表示している番組のチャネルを、前記終了時刻に該電子番組案内に示されたチャネルへ切り替えることを特徴とする放送システム。
【請求項５】
請求項４に記載の放送システムにおいて、
前記放送局は、前記空きチャネルが検索できなかった場合、該番組の延長部分を録画してコンテンツを作成し、前記電子コンテンツ案内を前記作成したコンテンツを含めるように変更して前記端末へ送信し、前記端末から前記作成したコンテンツの送信を要求された場合、該コンテンツを該端末へ送信し、
前記端末は、前記放送局から送信されてきた電子コンテンツ案内を表示し、該電子コンテンツ案内に示されたコンテンツの送信要求の入力を外部から受け付けた場合、前記コンテンツの送信を前記放送局へ要求し、該要求したコンテンツが前記放送局から送信されてきた場合、該コンテンツを再生することを特徴とする放送システム。
【請求項６】
請求項１に記載の放送システムにおいて、
前記放送局は、前記電子番組案内に示された番組の放送の中止を指示する中止指示信号の入力を外部から受け付けた場合、ファイル転送技術を用いてデータ配信放送するために記憶しているコンテンツを、前記中止する番組の代わりに放送することを特徴とする放送システム。
【請求項７】
請求項１に記載の放送システムにおいて、
前記放送局は、放送中の番組の終了を指示する終了指示信号の入力を外部から受け付けた場合、当該番組の前記電子番組案内上での終了時刻までの間、ファイル転送技術を用いてデータ配信放送するために記憶しているコンテンツを、前記終了する番組の代わりに放送することを特徴とする放送システム。
【請求項８】
請求項６に記載の放送システムにおいて、
前記放送局は、複数のコンテンツをカテゴリ別に分けて記憶し、前記中止する番組のカテゴリに相当するカテゴリに分けられているコンテンツを放送することを特徴とする放送システム。
【請求項９】
請求項７に記載の放送システムにおいて、
前記放送局は、複数のコンテンツをカテゴリ別に分けて記憶し、前記終了する番組のカテゴリに相当するカテゴリに分けられているコンテンツを放送することを特徴とする放送システム。
【請求項１０】
請求項８に記載の放送システムにおいて、
前記放送局は、前記カテゴリとして番組のジャンルを用いて前記コンテンツを分けて記憶し、前記中止する番組のジャンルと同じジャンルに分けられているコンテンツを放送することを特徴とする放送システム。
【請求項１１】
請求項９に記載の放送システムにおいて、
前記放送局は、前記カテゴリとして番組のジャンルを用いて前記コンテンツを分けて記憶し、前記終了する番組のジャンルと同じジャンルに分けられているコンテンツを放送することを特徴とする放送システム。
【請求項１２】
請求項６または請求項７に記載の放送システムにおいて、
前記放送局は、複数のコンテンツを優先度を付与して記憶し、前記優先度の高いコンテンツから順に放送することを特徴とする放送システム。
【請求項１３】
請求項１２に記載の放送システムにおいて、
前記放送局は、前記コンテンツを送信した回数に基づいて、前記優先度を決定して付与することを特徴とする放送システム。
【請求項１４】
請求項１２に記載の放送システムにおいて、
前記放送局は、前記コンテンツの最近の送信日時に基づいて、前記優先度を決定して付与することを特徴とする放送システム。
【請求項１５】
番組を放送し、放送する番組の放送スケジュールを示した電子番組案内およびファイル転送技術を用いたデータ配信放送の放送スケジュールを示した電子コンテンツ案内を前記放送、前記電子番組案内および前記電子コンテンツ案内を受信して表示する端末へ送信する送信部と、
前記放送する番組の放送スケジュールの変更を指示する信号の入力を外部から受け付ける入力受け付け部と、
前記入力受け付け部が前記番組の変更を指示する信号の入力を受け付けた場合、該変更に応じて前記電子番組案内を変更する電子番組案内変更部と、
前記入力受け付け部が前記番組の変更を指示する信号の入力を受け付けた場合、前記放送を該変更に応じた放送へ変更する放送変更部とを有し、
前記送信部は、前記電子番組案内変更部が変更した電子番組案内を前記端末へ送信し、前記放送変更部が変更した放送を行う放送局。
【請求項１６】
放送局から送信された放送、放送する番組の放送スケジュールを示した電子番組案内およびファイル転送技術を用いたデータ配信放送の放送スケジュールを示した電子コンテンツ案内を受信して表示部に表示する端末であって、
前記放送局から送信されてきた電子番組案内に基づいて、番組のチャネルに変更があるかどうかを判断する番組変更判断部と、
前記番組変更判断部が、前記番組のチャネルに変更があると判断した場合、該番組のチャネルを該電子番組案内に示されたチャネルへ切り替えるチャネル切り替え部を有する端末。
【請求項１７】
番組を放送し、放送する番組の放送スケジュールを示した電子番組案内およびファイル転送技術を用いたデータ配信放送の放送スケジュールを示した電子コンテンツ案内を送信する放送局と、前記放送、前記電子番組案内および前記電子コンテンツ案内を受信して表示する端末とから構成された放送システムにおける放送方法であって、
前記放送局が、前記放送する番組の放送スケジュールの変更を指示する信号の入力を外部から受け付ける処理と、
前記放送局が、前記番組の変更を指示する信号の入力を受け付けた場合、該変更に応じて前記電子番組案内を変更する処理と、
前記放送局が、前記番組の変更を指示する信号の入力を受け付けた場合、前記放送を該変更に応じた放送へ変更する処理と、
前記放送局が、前記変更した電子番組案内を前記端末へ送信する処理と、
前記放送局が、前記変更した放送を行う処理とを有する放送方法。
【請求項１８】
番組を放送し、放送する番組の放送スケジュールを示した電子番組案内およびファイル転送技術を用いたデータ配信放送の放送スケジュールを示した電子コンテンツ案内を、前記放送、前記電子番組案内および前記電子コンテンツ案内を受信して表示する端末へ送信する放送局に、
前記放送する番組の放送スケジュールの変更を指示する信号の入力を外部から受け付ける手順と、
前記番組の変更を指示する信号の入力を受け付けた場合、該変更に応じて前記電子番組案内を変更する手順と、
前記番組の変更を指示する信号の入力を受け付けた場合、前記放送を該変更に応じた放送へ変更する手順と、
前記変更した電子番組案内を前記端末へ送信する手順と、
前記変更した放送を行う手順とを実行させるためのプログラム。
【請求項１９】
放送局から送信された放送、放送する番組の放送スケジュールを示した電子番組案内およびファイル転送技術を用いたデータ配信放送の放送スケジュールを示した電子コンテンツ案内を受信して表示する端末に、
前記放送局から送信されてきた電子番組案内に基づいて、番組のチャネルに変更があるかどうかを判断する手順と、
前記番組のチャネルに変更があると判断した場合、変更があると判断した番組を表示する際、該番組のチャネルを、該電子番組案内に示されたチャネルへ切り替える手順とを実行させるためのプログラム。
【発明の詳細な説明】
【技術分野】
【０００１】
本発明は、放送を行う放送システム、放送局、端末、放送方法およびプログラムに関する。
【背景技術】
【０００２】
一般的なテレビ放送等の放送では、番組の放送予定時間内に、緊急報道番組等が臨時で放送されると、予定されていた番組の放送が中止・中断になったり、当該番組の放送時間が変更になったりする。また、野球中継等で放送時間が延長される場合の、野球中継放送後の番組についても同様である。
【０００３】
一方、予定していた番組の放送が中止（例えば、野球中継が雨天のため中止等）になった場合、当該番組を放送せず、代わりの番組を放送する。
【０００４】
近年、一般的な放送に加えて、ファイル転送技術を用いたデータ配信放送が普及してきている。このデータ配信放送では、ファイル化された番組（コンテンツ）が配信され、配信された番組を受信端末で受信（ダウンロード）して再生することで、所望の番組を視聴することができる。なお、一般的に、配信するために保持されているコンテンツの数は、上述した一般的に放送される番組の数と比較して非常に多い。
【０００５】
また、放送を受信する受信機にて、互いに異なるチャネルを用いて同時に放送される２つの番組を、視聴者の設定によって、主画面および従画面を用いた２画面表示したり、一方を表示し、他方を録画したりする技術が考えられている（例えば、特許文献１参照。）。
【先行技術文献】
【特許文献】
【０００６】
【特許文献１】特開２００２−２８１４０４号公報
【発明の概要】
【発明が解決しようとする課題】
【０００７】
しかしながら、上述したように放送される番組の変更が生じると、視聴者は、その放送に基づいて行動のスケジュールを変更しなければならなかったり、観たい番組を視聴できなくなってしまったりするという問題点がある。
【０００８】
また、上述したように中止になった番組の代わりに放送される番組として選択される番組の数は、データ配信放送で配信されるコンテンツの数よりも少ないため、選択肢が限られてしまうという問題点がある。
【０００９】
また、放送する番組の変更は人手によるものであり、柔軟な変更ができないという問題点がある。
【００１０】
また、特許文献１に記載されたような技術は、受信機における技術に過ぎない。
【００１１】
本発明の目的は、上述した課題を解決する放送システム、放送局、端末、放送方法およびプログラムを提供することである。
【課題を解決するための手段】
【００１２】
本発明の放送システムは、
番組を放送し、放送する番組の放送スケジュールを示した電子番組案内およびファイル転送技術を用いたデータ配信放送の放送スケジュールを示した電子コンテンツ案内を送信する放送局と、前記放送、前記電子番組案内および前記電子コンテンツ案内を受信して表示する端末とから構成された放送システムであって、
前記放送局は、放送する番組の放送スケジュールに変更が生じた場合、該変更に応じて前記電子番組案内または前記電子コンテンツ案内を変更し、該変更した電子番組案内または電子コンテンツ案内を前記端末へ送信し、該変更に応じた放送を行うことを特徴とする。
【００１３】
また、本発明の放送局は、
番組を放送し、放送する番組の放送スケジュールを示した電子番組案内およびファイル転送技術を用いたデータ配信放送の放送スケジュールを示した電子コンテンツ案内を前記放送、前記電子番組案内および前記電子コンテンツ案内を受信して表示する端末へ送信する送信部と、
前記放送する番組の放送スケジュールの変更を指示する信号の入力を外部から受け付ける入力受け付け部と、
前記入力受け付け部が前記番組の変更を指示する信号の入力を受け付けた場合、該変更に応じて前記電子番組案内を変更する電子番組案内変更部と、
前記入力受け付け部が前記番組の変更を指示する信号の入力を受け付けた場合、前記放送を該変更に応じた放送へ変更する放送変更部とを有し、
前記送信部は、前記電子番組案内変更部が変更した電子番組案内を前記端末へ送信し、前記放送変更部が変更した放送を行う。
【００１４】
また、本発明の端末は、
放送局から送信された放送、放送する番組の放送スケジュールを示した電子番組案内およびファイル転送技術を用いたデータ配信放送の放送スケジュールを示した電子コンテンツ案内を受信して表示部に表示する端末であって、
前記放送局から送信されてきた電子番組案内に基づいて、番組のチャネルに変更があるかどうかを判断する番組変更判断部と、
前記番組変更判断部が、前記番組のチャネルに変更があると判断した場合、該番組のチャネルを該電子番組案内に示されたチャネルへ切り替えるチャネル切り替え部を有する。
【００１５】
また、本発明の放送方法は、
番組を放送し、放送する番組の放送スケジュールを示した電子番組案内およびファイル転送技術を用いたデータ配信放送の放送スケジュールを示した電子コンテンツ案内を送信する放送局と、前記放送、前記電子番組案内および前記電子コンテンツ案内を受信して表示する端末とから構成された放送システムにおける放送方法であって、
前記放送局が、前記放送する番組の放送スケジュールの変更を指示する信号の入力を外部から受け付ける処理と、
前記放送局が、前記番組の変更を指示する信号の入力を受け付けた場合、該変更に応じて前記電子番組案内を変更する処理と、
前記放送局が、前記番組の変更を指示する信号の入力を受け付けた場合、前記放送を該変更に応じた放送へ変更する処理と、
前記放送局が、前記変更した電子番組案内を前記端末へ送信する処理と、
前記放送局が、前記変更した放送を行う処理とを有する。
【００１６】
また、本発明のプログラムは、
番組を放送し、放送する番組の放送スケジュールを示した電子番組案内およびファイル転送技術を用いたデータ配信放送の放送スケジュールを示した電子コンテンツ案内を、前記放送、前記電子番組案内および前記電子コンテンツ案内を受信して表示する端末へ送信する放送局に実行させるためのプログラムであって、
前記放送する番組の放送スケジュールの変更を指示する信号の入力を外部から受け付ける手順と、
前記番組の変更を指示する信号の入力を受け付けた場合、該変更に応じて前記電子番組案内を変更する手順と、
前記番組の変更を指示する信号の入力を受け付けた場合、前記放送を該変更に応じた放送へ変更する手順と、
前記変更した電子番組案内を前記端末へ送信する手順と、
前記変更した放送を行う手順とを実行させる。
【００１７】
また、本発明のプログラムは、
放送局から送信された放送、放送する番組の放送スケジュールを示した電子番組案内およびファイル転送技術を用いたデータ配信放送の放送スケジュールを示した電子コンテンツ案内を受信して表示する端末に実行させるためのプログラムであって、
前記放送局から送信されてきた電子番組案内に基づいて、番組のチャネルに変更があるかどうかを判断する手順と、
前記番組のチャネルに変更があると判断した場合、変更があると判断した番組を表示する際、該番組のチャネルを、該電子番組案内に示されたチャネルへ切り替える手順とを実行させる。
【発明の効果】
【００１８】
以上説明したように、本発明においては、番組を放送し、放送する番組の放送スケジュールを示した電子番組案内およびファイル転送技術を用いたデータ配信放送の放送スケジュールを示した電子コンテンツ案内を送信する放送局が、放送する番組の放送スケジュールに変更が生じた場合、変更に応じて電子番組案内または電子コンテンツ案内を変更し、変更に応じた放送を行い、変更した電子番組案内または電子コンテンツ案内を、電子番組案内および電子コンテンツ案内を受信して表示する端末へ送信する構成としたため、番組の放送スケジュールに変更が生じた場合であっても、変更に応じた放送を柔軟に行うことができる。
【図面の簡単な説明】
【００１９】
【図１】本発明の放送システムの実施の一形態を示す図である。
【図２】図１に示した放送局の内部構成の一例を示す図である。
【図３】図２に示したコンテンツデータベースに記憶されたコンテンツの一例を示す図である。
【図４】図１に示した放送局が記憶している電子番組案内の一例を示す図である。
【図５】図２に示した入力受け付け部にプロ野球中継が特定された代替指示信号の入力があり、図２に示した空きチャネル検索部によって空きチャネルが検索できた場合、図２に示した電子番組案内変更部によって変更された電子番組案内の一例を示す図である。
【図６】図２に示した入力受け付け部にプロ野球中継が特定された延長指示信号の入力があり、図２に示した空きチャネル検索部によって空きチャネルが検索できた場合、図２に示した電子番組案内変更部によって変更された電子番組案内の一例を示す図である。
【図７】図２に示した入力受け付け部にプロ野球中継が特定された中止指示信号の入力があった場合、図２に示した電子番組案内変更部によって変更された電子番組案内の一例を示す図である。
【図８】図２に示した入力受け付け部にプロ野球中継が特定された終了指示信号の入力があった場合、図２に示した電子番組案内変更部によって変更された電子番組案内の一例を示す図である。
【図９】図２に示したコンテンツデータベースに記憶されたジャンルに分類されたコンテンツの一例を示す図である。
【図１０】図１に示した放送局が記憶している電子コンテンツ案内の一例を示す図である。
【図１１】図２に示したコンテンツデータベースに記憶された、コンテンツの送信回数に基づいた優先度が付与されたコンテンツの一例を示す図である。
【図１２】図２に示したコンテンツデータベースに記憶された、コンテンツの最近の送信日時に基づいた優先度が付与されたコンテンツの一例を示す図である。
【図１３】図１に示した端末の内部構成の一例を示す図である。
【図１４】図１に示した放送局からチャネルＡにて放送されているプロ野球中継を表示している表示部の一例を示す図である。
【図１５】図１に示した放送局からチャネルＢにて放送されているアニメ「ショボンくん」を表示している表示部の一例を示す図である。
【図１６】本形態における放送方法のうち、放送局が代替指示信号の入力を受け付けた場合の放送局における処理を説明するためのフローチャートである。
【図１７】本形態における放送方法のうち、放送局が延長指示信号の入力を受け付けた場合の放送局における処理を説明するためのフローチャートである。
【図１８】本形態における放送方法のうち、放送局が中止指示信号の入力を受け付けた場合の放送局における処理を説明するためのフローチャートである。
【図１９】本形態における放送方法のうち、放送局が終了指示信号の入力を受け付けた場合の放送局における処理を説明するためのフローチャートである。
【図２０】本形態における放送方法のうち、端末が放送局から放送された番組の受信チャネルを切り替える処理を説明するためのフローチャートである。
【図２１】本形態における放送方法のうち、端末が放送局へコンテンツ送信を要求する処理を説明するためのフローチャートである。
【発明を実施するための形態】
【００２０】
以下に、本発明の実施の形態について図面を参照して説明する。
【００２１】
図１は、本発明の放送システムの実施の一形態を示す図である。
【００２２】
本形態は図１に示すように、放送局１００と、端末２００とから構成されている。
【００２３】
放送局１００は、番組を放送し、放送する番組の放送スケジュールを示した電子番組案内とファイル転送技術を用いたデータ配信放送の放送スケジュールを示した電子コンテンツ案内とを端末２００へ送信する。
【００２４】
端末２００は、放送局１００から放送された放送、電子番組案内および電子コンテンツ案内を受信して表示する。
【００２５】
なお、図１には、端末の台数が１台である場合の構成を例に挙げて示したが、１台に限らず複数であっても良い。
【００２６】
図２は、図１に示した放送局１００の内部構成の一例を示す図である。
【００２７】
図１に示した放送局１００には図２に示すように、送信部１０１と、入力受け付け部１０２と、電子番組案内変更部１０３と、放送変更部１０４と、空きチャネル検索部１０５と、ファイル作成部１０６と、電子コンテンツ案内変更部１０７と、コンテンツデータベース１０８と、優先度付与部１０９とが設けられている。なお、図２には、図１に示した放送局１００の構成要素のうち、本発明に係わる構成要素のみを示した。
【００２８】
コンテンツデータベース１０８は、データ配信放送で配信されるコンテンツを記憶するデータベースである。
【００２９】
図３は、図２に示したコンテンツデータベース１０８に記憶されたコンテンツの一例を示す図である。
【００３０】
図２に示したコンテンツデータベース１０８には図３に示すように、複数のコンテンツが記憶されている。図３では、それぞれのコンテンツの名前が一覧となって示しているが、実際には、コンテンツの内容とそれぞれを識別するためのコンテンツ識別情報（例えば、コンテンツＩＤ（Ｉｄｅｎｔｉｆｉｃａｔｉｏｎ））とが対応付けられて記憶されている。
【００３１】
送信部１０１は、番組を放送し、電子番組案内および電子コンテンツ案内を端末２００へ送信する。なお、電子番組案内および電子コンテンツ案内は、放送局１００内に設けられた記憶手段（不図示）に記憶されているものである。
【００３２】
入力受け付け部１０２は、放送局１００が放送する番組の放送スケジュールの変更を指示する信号の入力を外部から受け付ける。また、入力受け付け部１０２は、放送局１００内に設けられた保守用の端末装置等、所定の信号を入力できるものであっても良いし、ネットワークを介して放送局１００と接続された装置にて入力された信号を受け付けるものであっても良い。この信号には、以下に示す４つの信号が存在する。なお、以下に示す４つの信号の入力形式および信号形式は、特に規定しない。
（１）代替指示信号
代替指示信号は、電子番組案内に示された放送予定の番組の代わりに他の番組の放送を指示する信号である。例えば、電子番組案内に示された番組の放送予定時間内に、緊急報道番組等の臨時の番組を放送するための信号である。
（２）延長指示信号
延長指示信号は、放送中の番組に放送の延長を指示する信号である。例えば、生中継放送されている野球の試合が、電子番組案内に示された放送時間内に終了せず、放送時間を延長するための信号である。
（３）中止指示信号
中止指示信号は、電子番組案内に示された番組の放送の中止を指示する信号である。例えば、生中継放送を予定していた野球の試合が雨天のため中止になった場合、当該番組の放送の中止を指示する信号である。
（４）終了指示信号
終了指示信号は、放送中の番組の終了を指示する信号である。例えば、生中継放送をしている野球の試合が予定の放送終了時刻よりも早く終了し、それ以上その試合を放送する必要がない場合、当該番組の放送の終了を指示する信号である。この終了指示信号は、当該番組を終了させる時刻（終了を切り上げた時刻）を含む。
【００３３】
また、入力受け付け部１０２は、受け付けた信号が代替指示信号または延長指示信号である場合、その旨を電子番組案内変更部１０３と空きチャネル検索部１０５とへ通知する。また、入力受け付け部１０２は、受け付けた信号が中止指示信号または終了指示信号である場合、その旨を電子番組案内変更部１０３へ通知する。なお、入力受け付け部１０２は、上述した信号の入力を受け付ける際、該当する番組を識別するための番組識別情報（例えば、番組それぞれにあらかじめ付与された番組ＩＤ）を受け付ける。これにより、代替、延長、中止または終了する番組を特定することができる。また、入力受け付け部１０２は、入力を受け付けた番組識別情報を、電子番組案内変更部１０３または空きチャネル検索部１０５への通知とともにそれぞれへ出力する。
【００３４】
空きチャネル検索部１０５は、入力受け付け部１０２から代替指示信号または延長指示信号の入力を受け付けた旨が番組識別情報とともに通知されると、放送に使用可能な空きチャネルを検索する。この空きチャネルの検索方法は、無線上で空いているチャネルを検索する一般的な方法と同じもので良い。また、空きチャネル検索部１０５は、空きチャネルが検索できた場合、当該空きチャネルを捕捉して番組識別情報とともに電子番組案内変更部１０３へ通知する。また、空きチャネル検索部１０５は、空きチャネルが検索できなかった場合は、その旨を番組識別情報とともにファイル作成部１０６へ通知する。
【００３５】
電子番組案内変更部１０３は、空きチャネル検索部１０５から通知された空きチャネルと番組識別情報とに基づいて、電子番組案内を変更する。具体的には、現在の電子番組案内に、当該空きチャネルを追加し、その空きチャネルに番組識別情報の番組を割り当てる。ここで、入力受け付け部１０２から通知された信号が代替指示信号である場合、番組識別情報で示された番組全体を同時刻に空きチャネルにて放送するように割り当てる。また、電子番組案内変更部１０３は、入力受け付け部１０２から通知された信号が延長指示信号である場合、番組識別情報で示された番組のうちの延長部分を、現在の電子番組案内上での当該番組の終了時刻以降に空きチャネルにて放送するように割り当てる。
【００３６】
図４は、図１に示した放送局１００が記憶している電子番組案内の一例を示す図である。
【００３７】
図１に示した放送局１００は図４に示すように、各チャネルにて放送される番組の放送スケジュールを示す電子番組案内を記憶している。
【００３８】
図４に示すように電子番組案内には、例えば、チャネルＡで１９時から２１時まで、プロ野球中継（巨人−阪神５回戦）が放送される予定が記載されている。また、チャネルＡで２１時から２２時まで、月曜ドラマ「熱帯夜」が放送される予定が記載されている。また、チャネルＢで１９時から２０時まで、アニメ「ショボンくん」が放送される予定が記載されている。また、チャネルＢで２０時から２１時まで、クイズ「ＱＱＱ」が放送される予定が記載されている。また、チャネルＢで２１時から２２時まで、ドキュメンタリー「地球の秘密」が放送される予定が記載されている。
【００３９】
ここで、入力受け付け部１０２に代替指示信号の入力があった場合の電子番組案内の変更について図面を用いて説明する。
【００４０】
図５は、図２に示した入力受け付け部１０２にプロ野球中継が特定された代替指示信号の入力があり、図２に示した空きチャネル検索部１０５によって空きチャネルが検索できた場合、図２に示した電子番組案内変更部１０３によって変更された電子番組案内の一例を示す図である。
【００４１】
図５に示すように、図４に示した電子番組案内上のチャネルＡで１９時から２１時に放送予定のプロ野球中継が、緊急特番が放送されることにより、空きチャネル（チャネルＳ）の１９時から２１時に放送されるスケジュールに変更される。
【００４２】
また、入力受け付け部１０２に延長指示信号の入力があった場合の電子番組案内の変更について図面を用いて説明する。
【００４３】
図６は、図２に示した入力受け付け部１０２にプロ野球中継が特定された延長指示信号の入力があり、図２に示した空きチャネル検索部１０５によって空きチャネルが検索できた場合、図２に示した電子番組案内変更部１０３によって変更された電子番組案内の一例を示す図である。
【００４４】
図６に示すように、図４に示した電子番組案内上のチャネルＡで１９時から２１時に放送予定のプロ野球中継が、野球の試合が放送時間内に終了せず、延長が指示されることにより、その延長部分が空きチャネル（チャネルＳ）の２１時以降に放送されるスケジュールに変更される。
【００４５】
また、電子番組案内変更部１０３は、入力受け付け部１０２から中止指示信号を受け付けた旨が番組識別情報とともに通知されると、コンテンツデータベース１０８に記憶されているコンテンツを、当該番組識別情報が付与された番組の代わりに放送するように、電子番組案内を変更する。
【００４６】
図７は、図２に示した入力受け付け部１０２にプロ野球中継が特定された中止指示信号の入力があった場合、図２に示した電子番組案内変更部１０３によって変更された電子番組案内の一例を示す図である。
【００４７】
図７に示すように、図２に示した入力受け付け部１０２にプロ野球中継が特定された中止指示信号の入力があった場合、図４に示した電子番組案内に示されていたプロ野球中継が映画Ａの放送に変更される。この映画Ａは、図２に示したコンテンツデータベース１０８に記憶されているコンテンツの１つである。
【００４８】
また、電子番組案内変更部１０３は、入力受け付け部１０２から終了指示信号を受け付けた旨が番組識別情報とともに通知されると、コンテンツデータベース１０８に記憶されているコンテンツを、当該番組識別情報が付与された番組の終了後に放送するように、電子番組案内を変更する。
【００４９】
図８は、図２に示した入力受け付け部１０２にプロ野球中継が特定された終了指示信号の入力があった場合、図２に示した電子番組案内変更部１０３によって変更された電子番組案内の一例を示す図である。
【００５０】
図８に示すように、図２に示した入力受け付け部１０２にプロ野球中継が特定された終了指示信号の入力があった場合、図４に示した電子番組案内に示されていたプロ野球中継の試合が終了してから、中継終了の予定時刻までの間、料理番組の放送に変更される。この料理番組は、図２に示したコンテンツデータベース１０８に記憶されているコンテンツの１つである。また、試合が終了した時刻（野球中継から料理番組放送に切り替わる時刻）は、外部から設定できるものであっても良い。
【００５１】
上述したように、入力受け付け部１０２が中止指示信号または終了指示信号の入力を受け付けた場合、コンテンツデータベース１０８から読み出されたコンテンツが放送されるように変更される。ここで、読み出されるコンテンツの選択方法については、規定しない。例えば、コンテンツデータベース１０８に記憶されているコンテンツが、それぞれのコンテンツのカテゴリ（ジャンル）に分類されて記憶されており、該当する番組のジャンルと同じジャンルのコンテンツが選択されて読み出されるものであっても良い。
【００５２】
図９は、図２に示したコンテンツデータベース１０８に記憶されたジャンルに分類されたコンテンツの一例を示す図である。
【００５３】
図３に示すように記憶されたそれぞれのコンテンツが、図９に示すようにジャンルに分類されてコンテンツデータベース１０８に記憶されている。
【００５４】
例えば、「２００９年ＷＢＣ試合ハイライト」と「ワールドカップゴール集」とがスポーツのジャンルに分類されて記憶されている。また、「国内ニュース」と「海外ニュース」とがニュースのジャンルに分類されて記憶されている。また、「映画Ａ」と「映画Ｂ」とが映画のジャンルに分類されて記憶されている。また、「ドラマＡ」と「ドラマＢ」とがドラマのジャンルに分類されて記憶されている。また、「アニメＡ」と「アニメＢ」とがアニメのジャンルに分類されて記憶されている。また、「料理番組」と「ドキュメンタリー番組」とが情報番組のジャンルに分類されて記憶されている。
【００５５】
この場合、野球中継のジャンルはスポーツであるため、同じスポーツのジャンルに分類されている「２００９年ＷＢＣ試合ハイライト」または「ワールドカップゴール集」が選択されて読み出されるものであっても良い。
【００５６】
また、時間帯に基づいて選択するものであっても良い。例えば、深夜帯に、入力受け付け部１０２が中止指示信号または終了指示信号の入力を受け付けた場合、アニメや子供用の情報番組は選択肢から外すことも考えられる。
【００５７】
また、放送変更部１０４は、電子番組案内変更部１０３が電子番組案内を変更した場合、変更した電子番組案内に基づいて、変更した放送を送信部１０１を介して行う。
【００５８】
ファイル作成部１０６は、空きチャネル検索部１０５から空きチャネルが検索できなかった旨が番組識別情報とともに通知された場合、当該番組識別情報が付与された番組を録画してコンテンツ（コンテンツファイル）を作成する。このとき、当該コンテンツを識別できるコンテンツ識別情報を付与する。ここで、作成したコンテンツをコンテンツデータベース１０８に書き込んで記憶しておくものであっても良い。また、ファイル作成部１０６は、コンテンツを作成した後、電子コンテンツ案内変更部１０７へその旨を通知する。
【００５９】
電子コンテンツ案内変更部１０７は、ファイル作成部１０６からコンテンツを作成した旨を通知された場合、電子コンテンツ案内を変更する。具体的には、現在の電子コンテンツ案内に示された放送スケジュールに、ファイル作成部１０６にて作成されたコンテンツを追加する。
【００６０】
図１０は、図１に示した放送局１００が記憶している電子コンテンツ案内の一例を示す図である。
【００６１】
図１に示した放送局１００は図１０に示すように、データ配信放送されるコンテンツの配信放送スケジュールを示す電子コンテンツ案内を記憶している。ここで、ファイル作成部１０６にて野球放送の延長部分のコンテンツが作成され、電子コンテンツ案内変更部１０７にて電子コンテンツ案内が変更された場合、例えば、２３時に配信放送される予定である国内ニュースが野球放送の延長部分のコンテンツに変更される。
【００６２】
優先度付与部１０９は、コンテンツデータベース１０８に記憶されるコンテンツに所定の優先度を付与する。この優先度は、コンテンツデータベース１０８に記憶されているコンテンツの送信回数に基づいて決定されたものであっても良いし、最近の送信日時に基づいて決定されたものであっても良く、所定の規則に基づいて決められるものであればよい。
【００６３】
図１１は、図２に示したコンテンツデータベース１０８に記憶された、コンテンツの送信回数に基づいた優先度が付与されたコンテンツの一例を示す図である。
【００６４】
図１１に示すように、各コンテンツの送信回数が各コンテンツと対応付けられて記憶されており、その送信回数が多いものから順に優先度の高い値が付与されている。
【００６５】
図１２は、図２に示したコンテンツデータベース１０８に記憶された、コンテンツの最近の送信日時に基づいた優先度が付与されたコンテンツの一例を示す図である。
【００６６】
図１２に示すように、各コンテンツの送信日時が各コンテンツと対応付けられて記憶されており、その送信日時が現在に近いものから順に優先度の高い値が付与されている。
【００６７】
上述したように、各構成要素が放送局１００に設けられたものを例に挙げて説明したが、これらが１つの装置に設けられているものであっても良いし、複数の装置に分散して設けられているものであってもかまわない。
【００６８】
図１３は、図１に示した端末２００の内部構成の一例を示す図である。
【００６９】
図１に示した端末２００には図１３に示すように、番組変更判断部２０１と、チャネル切り替え部２０２と、送信要求入力受け付け部２０３と、送信要求部２０４と、コンテンツ再生部２０５と、表示部２０６とが設けられている。なお、図１３には、図１に示した端末２００の構成要素のうち、本発明に係わる構成要素のみを示した。
【００７０】
表示部２０６は、放送局１００から放送された番組を表示する。また、表示部２０６は、放送局１００から送信されてきた電子番組案内および電子コンテンツ案内を表示する。また、表示部２０６は、コンテンツ再生部２０５が再生しているコンテンツを表示する。なお、表示部２０６は、一般的なディスプレイ等の情報を表示するものであれば良い。
【００７１】
図１４は、図１に示した放送局１００からチャネルＡにて放送されているプロ野球中継を表示している表示部２０６の一例を示す図である。
【００７２】
図１４に示すように、表示部２０６にプロ野球中継が表示される。
【００７３】
図１５は、図１に示した放送局１００からチャネルＢにて放送されているアニメ「ショボンくん」を表示している表示部２０６の一例を示す図である。
【００７４】
図１５に示すように、表示部２０６にアニメ「ショボンくん」が表示される。
【００７５】
番組変更判断部２０１は、放送局１００から送信されてきた電子番組案内に基づいて、番組のチャネルに変更があるかどうかを判断する。また、番組変更判断部２０１は、放送局１００から送信されてきた電子番組案内に基づいて、表示部２０６が現在表示している放送の番組のチャネルに変更があるかどうかを判断する。これは、放送局１００から送信されてきた電子番組案内と、その前の最後に放送局１００から送信されてきた電子番組案内とを比較することによって判断する。
【００７６】
チャネル切り替え部２０２は、番組変更判断部２０１が番組のチャネルに変更があると判断した場合、チャネルを放送局１００から送信されてきた電子番組案内に示された番組のチャネルへ切り替える。また、チャネル切り替え部２０２は、番組変更判断部２０１が、番組のチャネルに変更があると判断した場合、表示部２０６が現在表示している番組のチャネルを、電子番組案内に示された時刻に電子番組案内に示されたチャネルへ切り替える。なお、チャネルを切り替えるタイミングは、電子番組案内に示されたものに基づく。
【００７７】
送信要求入力受け付け部２０３は、表示部２０６に表示された電子コンテンツ案内に示されたコンテンツの送信要求の入力を外部から受け付ける。
【００７８】
送信要求部２０４は、送信要求入力受け付け部２０３が、送信要求の入力を受け付けた場合、コンテンツの送信を放送局１００へ要求する。
【００７９】
コンテンツ再生部２０５は、送信要求部２０４が要求したコンテンツが放送局１００から送信されてきた場合、当該コンテンツを再生して、表示部２０６へ出力する。
【００８０】
以下に、本形態における放送方法について説明する。
【００８１】
まずは、本形態における放送方法のうち、放送局１００が代替指示信号の入力を受け付けた場合の放送局１００における処理について説明する。
【００８２】
図１６は、本形態における放送方法のうち、放送局１００が代替指示信号の入力を受け付けた場合の放送局１００における処理を説明するためのフローチャートである。
【００８３】
まず、入力受け付け部１０２にて、代替指示信号の入力が受け付けられると（ステップＳ１）、空きチャネル検索部１０５にて空きのチャネルが検索される（ステップＳ２）。入力受け付け部１０２にて代替指示信号の入力が受け付けられる際、代替される番組を指定するための当該番組の番組識別情報が受け付けられる。
【００８４】
空きチャネル検索部１０５に空きのチャネルが検索できた場合、電子番組案内変更部１０３にて電子番組案内が変更される（ステップＳ３）。具体的には、代替される番組が空きチャネルを用いて放送されることを示すように電子番組案内が変更される。
【００８５】
すると、変更された電子番組案内が、電子番組案内変更部１０３から送信部１０１を介して端末２００へ送信される（ステップＳ４）。
【００８６】
そして、電子番組案内変更部１０３にて変更された放送スケジュールにしたがって、放送変更部１０４によって変更された放送が送信部１０１を介して行われる（ステップＳ５）。
【００８７】
ステップＳ３〜Ｓ５の処理が行われた場合、端末２００においても処理が必要となる。この処理については後述する。
【００８８】
一方、ステップＳ２にて空きチャネル検索部１０５によって空きチャネルが検索できなかった場合、指定された代替される番組がファイル作成部１０６にて録画されてコンテンツファイルが作成される（ステップＳ６）。このとき、作成されたコンテンツは、コンテンツデータベース１０８に記憶されるものであっても良い。
【００８９】
すると、電子コンテンツ案内変更部１０７にて、電子コンテンツ案内がファイル作成部１０６にて作成されたコンテンツを含めるように変更される（ステップＳ７）。
【００９０】
変更された電子コンテンツ案内は、電子コンテンツ案内変更部１０７から送信部１０１を介して端末２００へ送信される（ステップＳ８）。
【００９１】
その後、端末２００から当該コンテンツ送信が要求された場合（ステップＳ９）、要求された当該コンテンツがコンテンツデータベース１０８から読み出されて送信部１０１を介して端末２００へ送信される（ステップＳ１０）。ここで、当該コンテンツを特定するために、そのコンテンツの識別情報を用いて指定するものが好ましい。
【００９２】
以下に、本形態における放送方法のうち、放送局１００が延長指示信号の入力を受け付けた場合の放送局１００における処理について説明する。
【００９３】
図１７は、本形態における放送方法のうち、放送局１００が延長指示信号の入力を受け付けた場合の放送局１００における処理を説明するためのフローチャートである。
【００９４】
まず、入力受け付け部１０２にて、延長指示信号の入力が受け付けられると（ステップＳ１１）、空きチャネル検索部１０５にて空きのチャネルが検索される（ステップＳ１２）。入力受け付け部１０２にて延長指示信号の入力が受け付けられる際、延長される番組を指定するための当該番組の番組識別情報が受け付けられる。
【００９５】
空きチャネル検索部１０５に空きのチャネルが検索できた場合、電子番組案内変更部１０３にて電子番組案内が変更される（ステップＳ１３）。具体的には、延長される番組の延長部分が予定していた番組終了時刻後に空きチャネルを用いて放送されることを示すように電子番組案内が変更される。
【００９６】
すると、変更された電子番組案内が、電子番組案内変更部１０３から送信部１０１を介して端末２００へ送信される（ステップＳ１４）。
【００９７】
そして、電子番組案内変更部１０３にて変更された放送スケジュールにしたがって、放送変更部１０４によって変更された放送が送信部１０１を介して行われる（ステップＳ１５）。つまり、延長対象となる番組が、予定終了時刻までは予定のチャネルで放送され、予定終了時刻後は空きチャネル検索部１０５にて検索された空きチャネルを用いて放送される。
【００９８】
ステップＳ１３〜Ｓ１５の処理が行われた場合、端末２００においても処理が必要となる。この処理については後述する。
【００９９】
一方、ステップＳ２にて空きチャネル検索部１０５によって空きチャネルが検索できなかった場合、延長対象となる番組の延長部分がファイル作成部１０６にて録画されてコンテンツファイルが作成される（ステップＳ１６）。このとき、作成されたコンテンツは、コンテンツデータベース１０８に記憶されるものであっても良い。
【０１００】
すると、電子コンテンツ案内変更部１０７にて、電子コンテンツ案内がファイル作成部１０６にて作成されたコンテンツを含めるように変更される（ステップＳ１７）。
【０１０１】
変更された電子コンテンツ案内は、電子コンテンツ案内変更部１０７から送信部１０１を介して端末２００へ送信される（ステップＳ１８）。
【０１０２】
その後、端末２００から当該コンテンツ送信が要求された場合（ステップＳ１９）、要求された当該コンテンツがコンテンツデータベース１０８から読み出されて送信部１０１を介して端末２００へ送信される（ステップＳ２０）。ここで、当該コンテンツを特定するために、そのコンテンツの識別情報を用いて指定するものが好ましい。
【０１０３】
以下に、本形態における放送方法のうち、放送局１００が中止指示信号の入力を受け付けた場合の放送局１００における処理について説明する。
【０１０４】
図１８は、本形態における放送方法のうち、放送局１００が中止指示信号の入力を受け付けた場合の放送局１００における処理を説明するためのフローチャートである。
【０１０５】
まず、入力受け付け部１０２にて、中止指示信号の入力が受け付けられると（ステップＳ２１）、電子番組案内変更部１０３によってコンテンツデータベース１０８からコンテンツが選択され（ステップＳ２２）、選択されたコンテンツが中止となる番組の代わりに放送することを示すように電子番組案内が変更される（ステップＳ２３）。
【０１０６】
ここで、電子番組案内変更部１０３が選択するコンテンツは、中止となる番組と同じジャンルに分類された中からランダムに選択されるものであっても良いし、上述した優先度の高いものから選択されるものであっても良い。
【０１０７】
変更された電子コンテンツ案内は電子番組案内変更部１０３から送信部１０１を介して端末２００へ送信される（ステップＳ２４）。
【０１０８】
そして、電子番組案内変更部１０３にて変更された放送スケジュールにしたがって、放送変更部１０４によって変更された放送が送信部１０１を介して行われる（ステップＳ２５）。つまり、中止となった番組の代わりに、コンテンツが放送される。
【０１０９】
なお、予定番組の代わりに放送されるコンテンツが、端末２００から選択されるものであっても良い。この場合、ステップＳ２１の処理の後、コンテンツデータベース１０８に記憶されているコンテンツの一覧（例えば、コンテンツ名、再生時間やコンテンツの内容の説明等を含む）が送信部１０１から端末２００へ送信され、端末２００に表示された一覧のうち１つが端末２００を操作する利用者から選択され、選択されたコンテンツの送信要求が端末２００から送信されることにより、放送局１００にて放送するコンテンツが選択されるものであっても良い。
【０１１０】
以下に、本形態における放送方法のうち、放送局１００が終了指示信号の入力を受け付けた場合の放送局１００における処理について説明する。
【０１１１】
図１９は、本形態における放送方法のうち、放送局１００が終了指示信号の入力を受け付けた場合の放送局１００における処理を説明するためのフローチャートである。
【０１１２】
まず、入力受け付け部１０２にて、終了指示信号の入力が受け付けられると（ステップＳ３１）、電子番組案内変更部１０３によってコンテンツデータベース１０８からコンテンツが選択され（ステップＳ３２）、終了する番組の代わりに選択されたコンテンツが放送することを示すように電子番組案内が変更される（ステップＳ３３）。このとき、終了指示信号に含まれる当該番組の終了を切り上げた時刻から予定終了時刻までの間、コンテンツを放送するように電子番組案内が変更される。
【０１１３】
ここで、電子番組案内変更部１０３が選択するコンテンツは、終了する番組と同じジャンルに分類された中からランダムに選択されるものであっても良いし、上述した優先度の高いものから選択されるものであっても良い。
【０１１４】
変更された電子番組案内は電子番組案内変更部１０３から送信部１０１を介して端末２００へ送信される（ステップＳ３４）。
【０１１５】
そして、電子番組案内変更部１０３にて変更された放送スケジュールにしたがって、放送変更部１０４によって変更された放送が送信部１０１を介して行われる（ステップＳ３５）。つまり、予定終了時刻を切り上げて終了した番組の代わりに、コンテンツが予定終了時刻まで放送される。
【０１１６】
なお、予定番組の代わりに放送されるコンテンツが、端末２００から選択されるものであっても良い。この場合、ステップＳ３１の処理の後、コンテンツデータベース１０８に記憶されているコンテンツの一覧が送信部１０１から端末２００へ送信され、端末２００に表示された一覧のうち１つが端末２００を操作する利用者から選択され、選択されたコンテンツの送信要求が端末２００から送信されることにより、放送局１００にて放送するコンテンツが選択されるものであっても良い。
【０１１７】
以下に、本形態における放送方法のうち、端末２００が放送局１００から放送された番組の受信チャネルを切り替える処理について説明する。つまり、図１６を用いて説明したステップＳ３〜Ｓ５および図１７を用いて説明したステップＳ１３〜Ｓ１５の放送局１００における処理に対応する端末２００における処理を説明する。
【０１１８】
図２０は、本形態における放送方法のうち、端末２００が放送局１００から放送された番組の受信チャネルを切り替える処理を説明するためのフローチャートである。
【０１１９】
ステップＳ３またはステップＳ１３にて変更され、ステップＳ４またはステップＳ１４にて放送局１００から送信された電子番組案内が端末２００にて受信されると（ステップＳ４１）、番組変更判断部２０１にて番組のチャネルに変更があったかどうかが判断される（ステップＳ４２）。
【０１２０】
番組変更判断部２０１にて番組のチャネルに変更があったかどうかが判断されると、当該番組の受信チャネルが変更後の電子番組案内にしたがって切り替えられる（ステップＳ４３）。
【０１２１】
具体例を図５および図６を用いて説明する。
【０１２２】
例えば、図５に示すように、現在チャネルＡを受信してプロ野球中継を表示している場合、緊急特番が放送されることにより、プロ野球中継を放送するチャネルがチャネルＡからチャネルＳへ切り替えられ、自動的にプロ野球中継が引き続き表示される。
【０１２３】
また、例えば、図６に示すように、現在チャネルＡを受信してプロ野球中継を表示している場合、２１時になると、受信するチャネルがチャネルＳへ切り替えられ、引き続き、プロ野球中継が表示される。
【０１２４】
以下に、本形態における放送方法のうち、端末２００が放送局１００へコンテンツ送信を要求する処理について説明する。つまり、図１６を用いて説明したステップＳ８および図１７を用いて説明したステップＳ１８の放送局１００における処理に対応する端末２００における処理を説明する。
【０１２５】
図２１は、本形態における放送方法のうち、端末２００が放送局１００へコンテンツ送信を要求する処理を説明するためのフローチャートである。
【０１２６】
まず、表示部２０６に表示された電子コンテンツ案内の中から、所望のコンテンツの送信要求の入力が送信要求入力受け付け部２０３にて受け付けられると（ステップＳ５１）、送信要求部２０４から当該コンテンツの送信要求が放送局１００に対して行われる（ステップＳ５２）。
【０１２７】
その後、送信要求を行ったコンテンツが放送局１００から送信されて端末２００にて受信されると（ステップＳ５３）、コンテンツ再生部２０５にて当該コンテンツが再生される（ステップＳ５４）。再生されたコンテンツは表示部２０６に表示される。
【０１２８】
なお、上述した処理以外であっても、番組のチャネルや放送時間の変更に適用することができる。例えば、番組の延長があった場合、当該チャネルで放送予定の番組全体の放送スケジュールを後ろへずらすように電子番組案内を変更し、変更した電子番組案内を端末２００へ送信することにより、端末２００にて番組の放送スケジュールが変更したことを認識することができる。
【０１２９】
また、上述した処理を応用して、端末２００に録画用のアプリケーションを搭載し、録画予定の番組ＩＤと、放送局１００から放送されてきた番組ＩＤとが一致した場合、録画を開始するものであっても良い。放送局１００から送信されたコンテンツついても同様に、コンテンツに付与されたコンテンツＩＤや、コンテンツを構成するパケットに付与されたパケットＩＤを用いるものであっても良い。
【０１３０】
上述した放送局１００、端末２００それぞれに設けられた各構成要素が行う処理は、目的に応じてそれぞれ作製された論理回路で行うようにしても良い。また、処理内容を記述したプログラムを放送局１００、端末２００それぞれにて読取可能な記録媒体に記録し、この記録媒体に記録されたプログラムを放送局１００、端末２００それぞれに読み込ませ、実行するものであっても良い。放送局１００、端末２００それぞれにて読取可能な記録媒体とは、フロッピーディスク（登録商標）、光磁気ディスク、ＤＶＤ、ＣＤなどの移設可能な記録媒体の他、放送局１００、端末２００それぞれに内蔵されたＲＯＭ、ＲＡＭ等のメモリやＨＤＤ等を指す。この記録媒体に記録されたプログラムは、放送局１００、端末２００それぞれに設けられたＣＰＵ（不図示）にて読み込まれ、ＣＰＵの制御によって、上述したものと同様の処理が行われる。ここで、ＣＰＵは、プログラムが記録された記録媒体から読み込まれたプログラムを実行するコンピュータとして動作するものである。
【０１３１】
以上により、番組の放送スケジュールに変更が生じた場合であっても、変更に応じた放送を柔軟に行うことができる。
【符号の説明】
【０１３２】
１００    放送局
１０１    送信部
１０２    入力受け付け部
１０３    電子番組案内変更部
１０４    放送変更部
１０５    空きチャネル検索部
１０６    ファイル作成部
１０７    電子コンテンツ案内変更部
１０８    コンテンツデータベース
１０９    優先度付与部
２００    端末
２０１    番組変更判断部
２０２    チャネル切り替え部
２０３    送信要求入力受け付け部
２０４    送信要求部
２０５    コンテンツ再生部
２０６    表示部
【図１】
2011030045.tif 000003
【図２】
2011030045.tif 000004
【図３】
2011030045.tif 000005
【図４】
2011030045.tif 000006
【図５】
2011030045.tif 000007
【図６】
2011030045.tif 000008
【図７】
2011030045.tif 000009
【図８】
2011030045.tif 000010
【図９】
2011030045.tif 000011
【図１０】
2011030045.tif 000012
【図１１】
2011030045.tif 000013
【図１２】
2011030045.tif 000014
【図１３】
2011030045.tif 000015
【図１４】
2011030045.tif 000016
【図１５】
2011030045.tif 000017
【図１６】
2011030045.tif 000018
【図１７】
2011030045.tif 000019
【図１８】
2011030045.tif 000020
【図１９】
2011030045.tif 000021
【図２０】
2011030045.tif 000022
【図２１】
2011030045.tif 000023